(57)【要約】      （修正有）【課題】両面に吸音機能及び遮音機能を有するパネル体を提供する。【解決手段】パネル体２は、厚み方向に貫通した多数の孔を有する芯材４３と、芯材４３の前後両面を覆う一対の板状の表面材４４Ａ，４４Ｂとを備えている。一方の表面材４４Ａと他方の表面材４４Ｂは、その厚み方向に貫通した多数の表面材孔をそれぞれ備えている。前後方向から見て、一方の表面材４４Ａと他方の表面材４４Ｂとで、表面材孔の位置がずれている。【選択図】図３
2020041340.tif 000002
【特許請求の範囲】
【請求項１】
厚み方向に貫通した多数の孔を有する芯材と、前記芯材の前後両面を覆う一対の板状の表面材とを備えたパネル体であって、
一方の表面材と他方の表面材は、その厚み方向に貫通した多数の表面材孔をそれぞれ備え、
前後方向から見て、前記一方の表面材と前記他方の表面材とで、前記表面材孔の位置がずれている、パネル体。
【請求項２】
前記表面材は、前記表面材孔が形成されている有孔領域と、前記表面材孔が形成されていない無孔領域とを備え、
前後方向から見て、前記一方の表面材の前記有孔領域と前記他方の表面材の前記無孔領域とが重なっている、請求項１に記載のパネル体。
【発明の詳細な説明】
【技術分野】
【０００１】
本発明は、厚み方向に貫通した多数の孔を有する芯材と、前記芯材の外周を囲う枠体と、前記芯材の前後両面を覆う一対の板状の表面材とを備えたパネル体に関するものである。
【背景技術】
【０００２】
オフィス等の空間において、空間利用の自由度を高めるために、パネル体を立設した間仕切装置を設けることが広く行われている。間仕切装置を設けることで、周囲からの視線や音をある程度遮ることができる。
【０００３】
また、パネル体として、ハニカム構造の芯材の表裏両面に表面材を貼ったサンドイッチ構造を有し、吸音機能をもたせるべく、少なくとも一方の表面材に多数の穴を設けたパネル体が知られている（例えば特許文献１〜３を参照）。
【０００４】
特許文献１，２に開示されたパネル体では、ハニカム構造の芯材の表裏両面に貼った表面材のうち、一方の表面材のみに多数の孔が設けられているので、パネル体の一表面に吸音機能を有し、他表面に遮音機能を備えている。また、特許文献３に開示されたパネル体では、表裏の表面材のほぼ全面に多数の孔が設けられているので、パネル体の両面に吸音機能を備えている。
【先行技術文献】
【特許文献】
【０００５】
【特許文献１】特開２０１７−７７７２５号公報
【特許文献２】実開昭６３−１４３００号公報
【特許文献３】特開昭５３−１４４１１９号公報
【発明の概要】
【発明が解決しようとする課題】
【０００６】
例えばローパーティションで仕切られた空間のように、パネル体で仕切られた隣り合う空間の両方が、執務やミーティングなどの作業空間として使用されることがある。
【０００７】
しかし、特許文献１，２に開示されたパネル体では、表裏の表面材のうち一方の表面材のみに多数の孔が設けられているので、パネル体を挟んで隣り合う空間のうち一方の空間は吸音効果が得られるものの、他方の空間は吸音効果が得られない。
【０００８】
また、特許文献３に開示されたパネル体では、パネル体を挟んで隣り合う空間の両方で吸音効果が得られるものの、一方の空間で発生した音の一部は、一方の表面材の孔から芯材内の空間と他方の表面材の孔を介して他方の空間に透過するので、遮音効果が低い。
【０００９】
本願発明は、このような現状を改善すべく成されたものである。
【課題を解決するための手段】
【００１０】
本発明のパネル体は、厚み方向に貫通した多数の孔を有する芯材と、前記芯材の前後両面を覆う一対の板状の表面材とを備えたパネル体であって、一方の表面材と他方の表面材は、その厚み方向に貫通した多数の表面材孔をそれぞれ備え、前後方向から見て、前記一方の表面材と前記他方の表面材とで、前記表面材孔の位置がずれているものである。
【００１１】
本発明のパネル体によれば、前後方向から見て、表面材に設けられた表面材孔の位置が一方の表面材と他方の表面材とでずれているので、一方又は他方の表面材の表面材孔からパネル体内部に進入した音をハニカム構造の芯材で吸収するとともに他方又は一方の表面材側へ透過するのを抑制でき、パネル体両面に吸音機能と遮音機能を備えることができる。これにより、パネル体を挟んで隣り合う両空間で、吸音効果及び遮音効果が得られる。
【００１２】
本発明のパネル体において、前記表面材は、前記表面材孔が形成されている有孔領域と、前記表面材孔が形成されていない無孔領域とを備え、前後方向から見て、前記一方の表面材の前記有孔領域と前記他方の表面材の前記無孔領域とが重なっているようにしてもよい。
【００１３】
このような態様によれば、表面材において表面材孔が形成されている領域（有孔領域）と形成されていない領域（無孔領域）に分けることで、前後方向から見て一方の表面材の有孔領域に形成された表面材孔に対向させて他方の表面材の無孔領域を確実に配置でき、遮音機能を向上できる。
【発明の効果】
【００１４】
本発明は、両面に吸音機能及び遮音機能を有するパネル体を提供できる。
【図面の簡単な説明】
【００１５】
【図１】実施形態のパネル体を有する間仕切装置の設置状態を示す斜視図である。
【図２】パネル体の連結箇所上部を拡大して示す斜視図である。
【図３】パネル体の構成を示す展開斜視図である。
【図４】パネル体の一側端部の横断面図である。
【図５】パネル体と連結支柱との連結箇所上部の構造を説明するための斜視図である。
【図６】（Ａ）は一方の表面材の正面図、（Ｂ）は他方の表面材の正面図である。
【図７】前後方向に沿って切断したパネル基材の縦断面図である。
【発明を実施するための形態】
【００１６】
本願発明の実施形態について図面に基づいて説明する。なお、以下の説明で、各方向を特定するため、前後・左右の文言を使用するが、パネル体の厚み方向を前後方向とし、これと直交した方向（パネル体の幅方向）を左右方向と定義している。
【００１７】
図１は、実施形態のパネル体２を有する間仕切装置１の設置状態を示す斜視図である。図２は、パネル体２の連結箇所上部を拡大して示す斜視図である。図３は、パネル体２の構成を示す展開斜視図である。図４は、パネル体２の一側端部の横断面図である。図５は、パネル体２と連結支柱３との連結箇所上部の構造を説明するための斜視図である。
【００１８】
図１に示すように、間仕切装置１は、その大部分を構成するパネル体２と、パネル体２の側端部に連結される連結支柱３とを備えている。パネル体２は、パネル基材４と、パネル基材４を覆う基材張地８と、パネル基材４の上端部に沿って形成された上端凹溝４１に装着した笠木５を備えている。パネル基材４の側端部には、上下方向に延びる側端凹溝４２が形成されている。
【００１９】
連結支柱３は、上下方向に延びる角管の形態を有し、パネル基材４の側端凹溝４２に嵌合係止されて、複数のパネル体２を連結可能に構成されている。隣り合うパネル体２の上端部同士は、上端凹溝４１底部の左右端部（長さ方向端部）に取り付けられる上部連結プレート７によって連結される。連結支柱３の下端部には床面に設置されるアジャスター６が取り付けられている。
【００２０】
なお、図１の間仕切装置１では、便宜的にパネル体２を平面視で直線状に連結しているが、複数のパネル体２を十字状、Ｔ字状、Ｙ字状に連結することもできる。
【００２１】
図３にも示すように、パネル体２は、芯材４３、表面材４４及び枠体４５で構成されるパネル基材４と、パネル基材４の両面を覆うクロス等の基材張地８と、パネル基材４の上端部に取り付けられる笠木５とを備えている。パネル基材４は、ハニカム構造等の芯材４３の表裏両面に厚紙等の表面材４４を張ったサンドイッチ構造を有する。芯材４３の外周部は枠体４５で囲まれており、表面材４４は、芯材４３及び枠体４５の両面を覆うように設けられている。
【００２２】
パネル基材４の表面は、クロス等の基材張地８で覆われている。基材張地８の上端外周端部８ａは上端凹溝４１の内側に巻き込まれ、側端外周端部８ｂは側端凹溝４２の内側に巻き込まれ（図４も参照）、下端外周端部８ｃは後述する下枠４８Ｌの内側に巻き込まれている。
【００２３】
四角枠状の枠体４５は、パネル基材４の側端部を構成する一対の縦枠４７，４７と、縦枠４７，４７の上下端部同士を連結する上下の横枠を構成する上枠４８Ｕ及び下枠４８Ｌとを備えている。縦枠４７の外側面に側端凹溝４２が形成されており、上枠４８Ｕの上面に上端凹溝４１が形成されている。
【００２４】
縦枠４７は、軽金属又は樹脂等を素材にした押出し加工品で中空状に形成されるとともに、パネル基材４の側端部を構成する外側面に、上下方向に延びる側端凹溝４２を備えている。また、縦枠４７は、側端凹溝４２の底部の幅方向中央部に形成された連結部材当接部４７ａと、側端凹溝４２の底部の幅方向両端部に連結部材当接部４７ａを挟んで形成された張地収納部４７ｂ，４７ｂとを備えている。張地収納部４７ｂには、側端凹溝４２の内側に巻き込まれた基材張地８の側端外周端部８ｂが収納されている。
【００２５】
図４及び図５に示すように、縦枠４７は、側端凹溝４２の連結部材当接部４７ａにパネル基材４の内側へ向けて突設された第１ねじ取付部４７ｃと、側端凹溝４２から遠ざかる方向へ第１ねじ取付部４７ｃとは離間して設けられた第２ねじ取付部４７ｄとを備えている。第１ねじ取付部４７ｃと第２ねじ取付部４７ｄは、上下方向に延びる中空溝条の形態を有している。
【００２６】
上枠４８Ｕ及び下枠４８Ｌは、軽金属又は樹脂等を素材にした押出し加工品からなり、上枠４８Ｕは上向き開口を有する断面略Ｃ字状の形態を有し、下枠４８Ｌは下向き開口を有する断面略Ｃ字状の形態を有する。そして、第１ねじ取付部４７ｃと第２ねじ取付部４７ｄに上下方向からねじ込まれる第１ねじ６１と第２ねじ６２とで、縦枠４７と上枠４８Ｕ及び下枠４８Ｌとが連結される。
【００２７】
なお、上枠４８Ｕの長さ方向端部には、金属製又は樹脂製の前後一対の上コーナー部材４９が連結されている。上コーナー部材４９は、縦枠４７と上枠４８Ｕ及び下枠４８Ｌとを連結して枠体４５を組み上げた状態で、枠体４５の上角部を形成する。
【００２８】
また、図１〜図５に示すように、間仕切装置１では、パネル体２の側端凹溝４２の内部に取り付けられる係合突起部材５０が、連結支柱３に設けられた係合穴３ａに係合することで、パネル体２と連結支柱３とが連結される。本実施形態では、係合突起部材５０は、例えば樹脂製であり、側端凹溝４２内の上下３箇所に設けられている。
【００２９】
各係合突起部材５０は、側端凹溝４２底部の連結部材当接部４７ａの幅方向中央部に形成されて上下方向に延びる係合突起部材取付溝４７ｅに嵌め込まれた状態で、１本の突起部材固定用ねじ６３でねじ止めされることで、回転不能に固着されている。
【００３０】
パネル体２と連結支柱３との連結時には、係合突起部材５０を連結支柱３の係合穴３ａ内に嵌め込んだ後、パネル体２を下方へ移動させる。これにより、係合突起部材５０の下部が連結支柱３の係合穴３ａの下部に係合するとともに、連結支柱３の側面が側端凹溝４２内の連結部材当接部４７ａに当接して、パネル体２が連結支柱３に支持される。
【００３１】
また、図５に示すように、パネル体２と連結支柱３とが連結された後、隣り合うパネル基材４の上部同士が、上部連結プレート７にて連結される。上部連結プレート７は、パネル基材４の上端凹溝４１底部の左右端部（長さ方向端部）に取り付けられる。上部連結プレート７は、長さ方向中央寄り部位に設けられた左右の第１ねじ頭部収容穴７ａと、長さ方向両端部に設けられた左右の第２ねじ挿通穴７ｂとを備えている。
【００３２】
上部連結プレート７をパネル基材４に取り付ける際には、まず、組み上げられたパネル体２のパネル基材４から笠木５を取り外し、さらに第２ねじ６２を取り外す。このとき、縦枠４７と上枠４８Ｕは、上枠４８Ｕに設けられた第１ねじ挿通穴４８Ｕａに上方から挿通されて縦枠４７の第１ねじ取付部４７ｃに捩じ込まれた第１ねじ６１で連結されている。
【００３３】
第２ねじ６２を取り外した状態で、上部連結プレート７の一端部側を上枠４８Ｕの上端凹溝４１の長さ方向端部上に配置する。上部連結プレート７は、第１ねじ頭部収容穴７ａと第１ねじ６１頭部とが位置合わせされるとともに、第２ねじ挿通穴７ｂが上枠４８Ｕの第２ねじ挿通穴４８Ｕｂに位置合わせされる。そして、先に取り外した第２ねじ６２を第２ねじ挿通穴７ｂと第２ねじ挿通穴４８Ｕｂに上方から挿通して、縦枠４７の第２ねじ取付部４７ｄに捩じ込むことで、上部連結プレート７と上枠４８Ｕとが縦枠４７に共締めさる。これにより、上部連結プレート７の一端部がパネル基材４の上角部に固着される。
【００３４】
なお、図５では、便宜上、パネル基材４の縦枠４７と上枠４８Ｕ及び係合突起部材５０とを分離して図示するとともに、芯材４３、表面材４４及び基材張地８の図示は省略されている。そして、パネル基材４に上部連結プレート７を連結する際には、パネル基材４は、図１及び図２に示すように、組み上げられた状態になっている。
【００３５】
次に、図６及び図７も参照しながらパネル体２の吸音機能及び遮音機能について説明する。図６の（Ａ）は一方の表面材４４Ａの正面図、（Ｂ）は他方の表面材４４Ｂの正面図である。図７は、前後方向に沿って切断したパネル基材４の縦断面図である。
【００３６】
上述のように、パネル体２は、芯材４３と、芯材４３の前後両面を覆う一対の板状の表面材４４Ａ，４４Ｂとを備えている。芯材４３は、ペーパーハニカムからなり、厚み方向に貫通した多数の孔４３ａを有している。なお、芯材４３の材料は、紙に限らず、金属や樹脂などの他の材料であってもよい。
【００３７】
表面材４４Ａ，４４Ｂは、同一のサイズの厚紙からなり、その厚み方向に貫通した多数の表面材孔４４ａをそれぞれ備えている。なお、表面材４４Ａ，４４Ｂの材料は、紙に限らず、金属や樹脂などの他の材料であってもよい。また、表面材４４Ａ，４４Ｂは、表面材孔４４ａが形成されている有孔領域４４Ａａ，４４Ｂａと、表面材孔４４ａが形成されていない無孔領域４４Ａｂ，４４Ｂｂとを備えている。
【００３８】
図６（Ａ）に示すように、一方の表面材４４Ａには、左右方向（表面材幅方向）にそれぞれ延びる複数の有孔領域４４Ａａ及び複数の無孔領域４４Ａｂが設けられており、有孔領域４４Ａａと無孔領域４４Ａｂとが交互に縞状に設けられている。各有孔領域４４Ａａは同一の領域幅（上下方向幅）を有するとともに、所定の繰り返しピッチで有孔領域４４Ａａと無孔領域４４Ａｂが繰り返し配置されている。
【００３９】
図６（Ｂ）に示すように、他方の表面材４４Ｂは一方の表面材４４Ａを上下反転させた構成を有する。すなわち、表面材４４Ｂには、左右方向にそれぞれ延びる有孔領域４４Ｂａと無孔領域４４Ｂｂが交互に縞状に設けられている。他方の表面材４４Ｂの有孔領域４４Ｂａの数は、一方の表面材４４Ａの有孔領域４４Ａａの数と同じであり、各有孔領域４４Ｂａは、有孔領域４４Ａａと同一の領域幅を有する。
【００４０】
そして、表面材４４Ｂでの有孔領域４４Ｂａと無孔領域４４Ｂｂの繰り返しピッチは、表面材４４Ａでの有孔領域４４Ａａと無孔領域４４Ａｂの繰り返しピッチと同じになっている。また、有孔領域４４Ａａと有孔領域４４Ｂａとで、表面材孔４４ａのピッチは同じである。
【００４１】
このように、一方の表面材４４Ａと他方の表面材４４Ｂは、有孔領域４４Ａａ又は４４Ｂａと無孔領域４４Ａｂ又は４４Ｂｂの繰り返しピッチが同じになっており、上下反転させる構成を除いて同じ構成を有している。これにより、有孔領域と無孔領域の繰り返しピッチが同一の複数の表面材を、一方の表面材４４Ａと他方の表面材４４Ｂとして使用できるので、表面材４４Ａと表面材４４Ｂを別々に製造する場合に比べて、製造コストを低減できる。
【００４２】
図６及び図７に示すように、表面材４４Ａ，４４Ｂは、有孔領域４４Ａａが無孔領域４４Ｂｂに対向配置されるとともに、有孔領域４４Ｂａが無孔領域４４Ａｂに対向配置するようにして、芯材４３の表裏面に貼り付けられる。
【００４３】
一方の表面材４４Ａの表面材孔４４ａから芯材４３の孔４３ａ内に進入した音は、他方の表面材４４Ｂの無孔領域４４Ｂｂにてパネル体２を透過するのを阻止されるとともに、芯材４３に吸収される。また、他方の表面材４４Ｂの表面材孔４４ａから芯材４３の孔４３ａ内に進入した音は、一方の表面材４４Ａの無孔領域４４Ａｂにてパネル体２を透過するのを阻止されるとともに、芯材４３に吸収される。なお、パネル体２の外側から無孔領域４４Ａｂ又は４４Ｂｂに当たった音は反射してパネル体２を透過しない。
【００４４】
以上のように、本実施形態のパネル体２は、厚み方向に貫通した多数の孔４３ａを有する芯材４３と、芯材４３の前後両面を覆う一対の板状の表面材４４Ａ，４４Ｂとを備えている。一方の表面材４４Ａと他方の表面材４４Ｂは、その厚み方向に貫通した多数の表面材孔４４ａをそれぞれ備えている。そして、前後方向から見て、一方の表面材４４Ａと他方の表面材４４Ｂとで、表面材孔４４ａの位置ので、表面材４４Ａ又は４４Ｂの表面材孔４４ａからパネル体２内部に進入した音を芯材４３で吸収するとともに表面材４４Ｂ又は４４Ａ側へ透過するのを抑制できる。つまり、パネル体２は、その両面に吸音機能と遮音機能を備えることができる。これにより、パネル体２を挟んで隣り合う両空間で、吸音効果及び遮音効果が得られる。
【００４５】
また、パネル体において、表面材４４Ａ，４４Ｂは、表面材孔４４ａが形成されている有孔領域４４Ａａ又は４４Ｂａと、表面材孔４４ａが形成されていない無孔領域４４Ａｂ又は４４Ｂｂとを備えている。そして、前後方向から見て、一方の表面材４４Ａの有孔領域４４Ａａと他方の表面材４４Ｂの無孔領域４４Ｂｂとが重なっているとともに、他方の表面材４４Ｂの有孔領域４４Ｂａと一方の表面材４４Ａの無孔領域４４Ａｂとが重なっているようにしてもよい。このように、表面材４４Ａ，４４Ｂにおいて表面材孔４４ａが形成されている有孔領域４４Ａａ又は４４Ｂａと形成されていない無孔領域４４Ａｂ又は４４Ｂｂに分けることで、前後方向から見て有孔領域４４Ａａ，４４Ｂａに形成された表面材孔４４ａに対向させて無孔領域４４Ａｂ又は４４Ｂｂを確実に配置でき、遮音機能を向上できる。
【００４６】
以上、本発明の具体例を説明したが、本発明は他にも様々に具体化できる。例えば、表面材における有孔領域と無孔領域の配置は、横縞状に交互に配列した配置に限定されず、縦縞状に交互に配列した配置であってもよいし、千鳥状配置であってもよい。
【００４７】
また、表面材孔の個数や配置、ピッチなどは特に限定されない。また、表面材孔の形状は、例えば長穴など、円形以外の形状であってもよい。また、有孔領域における表面材孔の配列は、例えば千鳥状配列であってもよいし、不規則配列であってもよい。
【００４８】
なお、本発明のパネル体は、いわゆるローパーティションに限らず、例えば天井まで届くハイパーティションのパネル体など、様々な高さのパーティションのパネル体に適用できる。
【符号の説明】
【００４９】
２  パネル体
４３  芯材
４３ａ  孔
４４Ａ  一方の表面材（表面材）
４４Ａａ  有孔領域
４４Ａｂ  無孔領域
４４Ｂ  他方の表面材（表面材）
４４Ｂａ  有孔領域
４４Ｂｂ  無孔領域
４４ａ  表面材孔
【図１】
2020041340.tif 000003
【図２】
2020041340.tif 000004
【図３】
2020041340.tif 000005
【図４】
2020041340.tif 000006
【図５】
2020041340.tif 000007
【図６】
2020041340.tif 000008
【図７】
2020041340.tif 000009